(57)【特許請求の範囲】
【請求項１】
音声メモリと、
前記音声メモリが格納している音声を再生する音声再生部と、
撮像部と、
前記撮像部が撮像した画像を格納する画像メモリと、
前記画像メモリが格納している画像を再生する画像再生部と
を備え、
前記音声メモリ、前記音声再生部、及び撮像部が設けられた音声再生ユニットと、前記画像メモリ、及び前記画像再生部が設けられた画像再生ユニットとは、機械的に着脱自在に構成されており、
前記音声再生ユニットは、前記画像再生ユニットと機械的に接続されていない場合、独立して音声再生装置として機能し、
前記画像再生ユニットは、前記音声再生ユニットと機械的に接続されていない場合、独立して画像再生装置として機能し、
前記音声再生ユニットと前記画像再生ユニットとが機械的に接続されている場合、共同して撮像装置として機能し、前記撮像部が撮像した画像を前記画像メモリが格納し、
前記音声再生ユニットと前記画像再生ユニットとが機械的に接続されている場合、前記撮像部は高解像度の画像を撮像し、
前記画像メモリは、前記撮像部が撮像した前記高解像度の画像を格納し、
前記音声再生ユニットと前記画像再生ユニットとが機械的に接続されていない場合、前記撮像部は低解像度の画像を撮像し、
前記音声メモリは、前記撮像部が撮像した前記低解像度の画像を格納する
撮像装置。
【請求項２】
音声メモリと、
前記音声メモリが格納している音声を再生する音声再生部と、
撮像部と、
前記撮像部が撮像した画像を格納する画像メモリと、
前記画像メモリが格納している画像を再生する画像再生部と
を備え、
前記音声メモリ、前記音声再生部、及び撮像部が設けられた音声再生ユニットと、前記画像メモリ、及び前記画像再生部が設けられた画像再生ユニットとは、機械的に着脱自在に構成されており、
前記音声再生ユニットは、前記画像再生ユニットと機械的に接続されていない場合、独立して音声再生装置として機能し、
前記画像再生ユニットは、前記音声再生ユニットと機械的に接続されていない場合、独立して画像再生装置として機能し、
前記音声再生ユニットと前記画像再生ユニットとが機械的に接続されている場合、共同して撮像装置として機能し、前記撮像部が撮像した画像を前記画像メモリが格納し、
前記音声再生ユニットと前記画像再生ユニットとが機械的に接続されている場合、撮像画像を前記画像メモリに格納し、
前記音声再生ユニットと前記画像再生ユニットとが機械的に接続されていない場合、前記画像メモリに格納する前記撮像画像のデータ量よりもデータ量を小さくした撮像画像を前記音声メモリに格納する
撮像装置。
【請求項３】
前記画像再生部は、前記音声再生ユニットと前記画像再生ユニットとが機械的に接続されている場合、電子ファインダとして機能し、前記撮像部が撮像した画像を表示する
請求項１または２に記載の撮像装置。
【請求項４】
前記音声メモリは、前記画像メモリより記録容量が小さい
請求項１から請求項３のいずれか１つに記載の撮像装置。
【請求項５】
前記音声メモリは、半導体メモリであり、
前記画像メモリは、ハードディスクである
請求項１から請求項４のいずれか１つに記載の撮像装置。
【請求項６】
前記音声再生ユニットに設けられた光学ファインダ
をさらに備え、
前記音声メモリは、前記音声再生ユニットと前記画像再生ユニットとが機械的に接続されていない場合、前記光学ファインダを用いて撮像された画像を格納する
請求項１から請求項５のいずれか１つに記載の撮像装置。
【発明の詳細な説明】
【技術分野】
【０００１】
本発明は、撮像装置に関する。特に、本発明は、音声再生ユニットを備える撮像装置に関する。
【背景技術】
【０００２】
画像撮像時のファインダとしての機能を有する第１の表示手段と、撮像画像を再生する際のモニタとしての機能を有すると共に、カメラ本体との着脱をできるようにした第２の表示手段（外部表示モニタ）とを備え、第１の表示手段の表示内容と、外部表示モニタの表示内容とを異ならせる。そして、第１の表示手段と外部表示モニタに表示された２枚の撮像画像を比較して見栄えのよい撮像画像を選択する、又は、撮像画像に対する補正処理の効果の確認を容易にする電子カメラについて提案されている（例えば、特許文献１参照。）。
【特許文献１】特開平１１−２６６３８１号公報
【発明の開示】
【発明が解決しようとする課題】
【０００３】
ここで、特許文献１に記載されている発明においては、電子カメラ、及び外部表示モニタに備えられたメモリに撮像画像が格納される。そして、ユーザが旅行先等で多数の画像を撮像してメモリの記憶容量が不足した場合には、ユーザは、更に画像を撮像することを目的として、電子カメラのメモリを交換するか、又は、電子カメラのメモリに格納されている撮像画像をＰＣ等に移動させることができる。しかしながら、係る場合において、ユーザは、既に撮像された画像を電子カメラにおいて確認することができなくなる。したがって、ユーザは、既に撮像した風景、及び被写体等を再び撮像したり、まだ撮像していない風景、及び被写体等の撮像を忘れる可能性がある。更に、特許文献１に記載されている発明においては、画像の撮像しかできない。
【０００４】
また、デジタルカメラ等の撮像装置においては、撮像に用いられるＣＣＤ等の受光デバイスの画素数が、ますます増大化する傾向にある。したがって、撮像装置において撮像される画像の画像データの容量がますます大きくなり、撮像装置に備えられている記録媒体には、より大きな容量の記録媒体が要求されている。また、撮像された画像を鑑賞する場合においては、撮像画像が表示される表示画面は、より大きな表示画面である方が、ユーザは撮像画像を観賞しやすい。しかしながら、大きな表示画面を撮像装置に備えると、撮像装置のサイズが大きくなり、携帯には適さない大きさの撮像装置となる場合がある。
【０００５】
そこで本発明は、上記課題を解決することができる撮像装置を提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、撮像装置であって、音声メモリと、音声メモリが格納している音声を再生する音声再生部と、撮像部と、撮像部が撮像した画像を格納する画像メモリと、画像メモリが格納している画像を再生する画像再生部とを備え、音声メモリ、音声再生部、及び撮像部が設けられた音声再生ユニットと、画像メモリ、及び画像再生部が設けられた画像再生ユニットとは、機械的に着脱自在に構成されており、音声再生ユニットは、画像再生ユニットと機械的に接続されていない場合、独立して音声再生装置として機能し、画像再生ユニットは、音声再生ユニットと機械的に接続されていない場合、独立して画像再生装置として機能し、音声再生ユニットと画像再生ユニットとが機械的に接続されている場合、共同して撮像装置として機能し、撮像部が撮像した画像を画像メモリが格納する。
【０００７】
また、画像再生部は、音声再生ユニットと画像再生ユニットとが機械的に接続されている場合、電子ファインダとして機能し、撮像部が撮像した画像を表示してもよい。そして、音声メモリは、画像メモリより記録容量が小さくてよい。更に、音声メモリは、半導体メモリであり、画像メモリは、ハードディスクであってよい。また、音声再生ユニットに設けられた光学ファインダをさらに備え、音声メモリは、音声再生ユニットと画像再生ユニットとが機械的に接続されていない場合、光学ファインダを用いて撮像された画像を格納してもよい。
【０００８】
そして、音声再生ユニットと画像再生ユニットとが機械的に接続されている場合、撮像部は高解像度の画像を撮像し、画像メモリは、撮像部が撮像した高解像度の画像を格納し、音声再生ユニットと画像再生ユニットとが機械的に接続されていない場合、撮像部は低解像度の画像を撮像し、音声メモリは、撮像部が撮像した低解像度の画像を格納してもよい。更に、音声再生ユニットと画像再生ユニットとが機械的に接続されている場合、撮像画像を画像メモリに格納し、音声再生ユニットと画像再生ユニットとが機械的に接続されていない場合、画像メモリに格納する撮像画像のデータ量よりもデータ量を小さくした撮像画像を音声メモリに格納してもよい。
【０００９】
なお、上記の発明の概要は、本発明の必要な特徴の全てを列挙したものではなく、これらの特徴群のサブコンビネーションもまた、発明となりうる。
【発明の効果】
【００１０】
本発明によれば、音声を再生できると共に、画像の撮像をすることができ、また、撮像された画像の観賞をすることができる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１２】
図１は、本発明の一実施形態に係る撮像装置１０の概要を示す。撮像装置１０は、画像再生ユニット２０、及び音声再生ユニット３０を備える。ここで、画像再生ユニット２０と音声再生ユニット３０とは、機械的に着脱自在に構成されている。そして、画像再生ユニット２０は、画像再生部２００、及びレリーズボタン２４０を有する。なお、画像再生部２００は、液晶表示装置であってよい。また、音声再生ユニット３０は、撮像部、光学ファインダ３００、表示部３６０、及びレリーズボタン３８０を有する。本実施形態に係る撮像装置１０は、音声を再生できると共に、画像の撮像をすることができ、また、撮像された画像の観賞をすることを目的とする。
【００１３】
画像再生ユニット２０と音声再生ユニット３０とは、機械的に接続されている場合には共同して撮像装置１０として機能する。係る場合においては、画像再生ユニット２０の液晶表示装置が電子ファインダーとして機能して、ユーザはレリーズボタン２４０、又は、レリーズボタン３８０を操作することにより画像を撮像できる。例えば、ユーザが、猫８００を撮像する場合には、画像再生ユニット２０が有する画像再生部２００が電子ファインダーとして機能して、猫８００が画像再生部２００に表示される。そして、ユーザは、音声再生ユニット３０において、レリーズボタン２４０を操作することにより猫８００の画像を撮像できる。
【００１４】
また、音声再生ユニット３０と画像再生ユニット２０とが機械的に分離している場合には、音声再生ユニット３０は音声再生装置として機能して、ユーザ９００は、音声再生ユニット３０に格納されている音楽、及び音声を聴くことができる。なお、ユーザ９００は、インターネット等のネットワーク、及びメモリ等を介して音楽データを音声再生ユニット３０に格納してもよい。また、音声再生ユニット３０には光学ファインダ３００が備えられており、ユーザ９００は、光学ファインダ３００を用いて、レリーズボタン３８０を操作することにより、画像を撮像することもできる。なお、音声再生ユニット３０は、表示部３６０に、音声再生ユニット３０が格納している音楽の曲名等を表示させ、ユーザ９００に、ユーザ９００が鑑賞を所望する音声を選択させることもできる。
【００１５】
また、音声再生ユニット３０と画像再生ユニット２０とが機械的に分離している場合には、画像再生ユニット２０は、画像再生装置として機能する。そして、ユーザ９１０は、画像再生ユニット２０に格納されている、音声再生ユニット３０において撮像された撮像画像を観賞できる。また、ユーザ９１０は、インターネット等のネットワーク、及びメモリ等を介して画像再生ユニット２０に格納された画像を観賞することもできる。
【００１６】
本実施形態に係る撮像装置１０によれば、音声再生ユニット３０と画像再生ユニット２０とを機械的に接続できると共に、音声再生ユニット３０と画像再生ユニット２０とを機械的に接続させていない場合には、音声再生ユニット３０、及び画像再生ユニット２０をそれぞれ別々に機能させることができる。したがって、音声再生ユニット３０において音声を再生できると共に、音声再生ユニット３０、又は、撮像装置１０において画像の撮像をすることができる。また、撮像された画像は、画像再生ユニット２０において観賞をすることもできる。これにより、ユーザは、撮像装置１０において画像の撮像、画像の観賞、及び音楽鑑賞を多様に楽しむことができる。
【００１７】
図２は、本実施形態に係る撮像装置１０の機能構成の一例を示す。撮像装置１０は、画像再生ユニット２０、及び音声再生ユニット３０を備える。画像再生ユニット２０は、画像再生部２００、画像出力部２１０、画像メモリ２２０、入力インターフェイス２３０、及びレリーズボタン２４０を有する。音声再生ユニット３０は、光学ファインダ３００、撮像部３１０、信号処理部３２０、入力インターフェイス３３０、音声メモリ３４０、音声再生部３５０、表示部３６０、音声出力部３７０、及びレリーズボタン３８０を有する。また、画像再生ユニット２０と音声再生ユニット３０とは、機械的に着脱自在に構成されている。そして、画像再生ユニット２０と音声再生ユニット３０とが機械的に接続されていない場合には、画像再生ユニット２０は、独立して画像再生装置として機能する。また、画像再生ユニット２０と音声再生ユニット３０とが機械的に接続されていない場合には、音声再生ユニット３０は、独立して音声再生装置として機能する。
【００１８】
レリーズボタン２４０、及びレリーズボタン３８０は、ユーザの操作により、撮像部３１０に画像を撮像させる。レリーズボタン２４０、及びレリーズボタン３８０が操作された場合には、レリーズボタン２４０、及びレリーズボタン３８０から撮像部３１０に、画像を撮像させる旨の情報が供給される。撮像部３１０は、レンズ、及び受光デバイスを有する。更に、受光デバイスは、複数の受光素子を含んでいてよい。撮像部３１０は、入射する光を、レンズを通して受光デバイスに入射させる。そして、受光デバイスは、複数の受光素子において光を受光して、レリーズボタン３８０から受け取った情報に基づいて、撮像領域の撮像画像を取得する。また、撮像部３１０が有する受光デバイスは、複数のＣＭＯＳセンサを含んでいてよく、撮像部３１０は、複数のＣＭＯＳセンサによって撮像領域の撮像画像を取得してもよい。更に、撮像部３１０は、画像再生ユニット２０が有するレリーズボタン２４０からの、画像を撮像させる旨の情報に基づいて、画像を撮像してもよい。撮像部３１０は、撮像した画像の画像データを信号処理部３２０に供給する。また、光学ファインダ３００において、撮像範囲が決定される。そして、ユーザは、音声再生ユニット３０において、光学ファインダ３００を用いて画像を撮像できる。
【００１９】
信号処理部３２０は、撮像部３１０から受け取った画像データに対して、ホワイトバランス補正処理、ガンマ補正処理等の画像処理をする。信号処理部３２０は、画像再生ユニット２０と音声再生ユニット３０とが機械的に接続されている場合には、撮像部３１０から画素データが間引かれていない高解像度の撮像画像を受け取る。また、信号処理部３２０は、画像再生ユニット２０と音声再生ユニット３０とが機械的に接続されている場合には、撮像部３１０から受け取った撮像画像の画像データに対して圧縮処理をしなくてもよい。信号処理部３２０は、画像再生ユニット２０と音声再生ユニット３０とが機械的に接続されている場合には、撮像画像の画像データを画像メモリ２２０に供給する。また、信号処理部３２０は、撮像部３１０の受光デバイスにおいて取得される画像を、電子ファインダ用の画像として画像再生部２００に供給する。
【００２０】
一方、信号処理部３２０は、画像再生ユニット２０と音声再生ユニット３０とが機械的に接続されていない場合には、撮像部３１０から画素データを間引いて読み出すことにより、低解像度の撮像画像を取得してよい。また、信号処理部３２０は、画像再生ユニット２０と音声再生ユニット３０とが機械的に接続されていない場合には、撮像画像のデータ量を圧縮してもよい。例えば、信号処理部３２０は、撮像部３１０から受け取った撮像画像を不可逆圧縮して撮像画像のデータ量を画像再生ユニット２０と音声再生ユニット３０とが機械的に接続されている場合に撮像された画像よりも小さくしてよい。なお、信号処理部３２０は、静止画を不可逆圧縮する場合にはＪＰＥＧ等の画像圧縮方式を用いて撮像画像を圧縮してよい。また、信号処理部３２０は、動画像を不可逆圧縮する場合にはＭＰＥＧ等の画像圧縮方式を用いて撮像画像を圧縮してよい。信号処理部３２０は、画像再生ユニット２０と音声再生ユニット３０とが機械的に接続されていない場合には、撮像画像の画像データを音声メモリ３４０に供給する。
【００２１】
入力インターフェイス３３０は、音声データを外部から受け取って、音声メモリ３４０に供給する。入力インターフェイス３３０は、例えば、インターネット等のネットワーク、及びメモリ等を介して、音楽、及び音声等の音声データを受け取ってよい。また、入力インターフェイス３３０はマイク等の集音装置を含んでいてもよい。入力インターフェイス３３０が集音装置を含んでいる場合には、音声再生ユニット３０において音声を取得できる。音声メモリ３４０は、入力インターフェイス３３０から受け取った音声データを格納する。音声メモリ３４０は、半導体記録媒体を用いた半導体メモリであってよい。なお、音声メモリ３４０は、画像メモリ２２０よりも記憶容量が小さい記憶装置であってよい。
【００２２】
音声メモリ３４０は、音声再生ユニット３０と画像再生ユニット２０とが機械的に接続されていない場合に、光学ファインダ３００を用いて撮像された画像を、信号処理部３２０を介して格納する。そして、音声メモリ３４０は、音声データ、及び画像データを一意に識別できる識別子に対応づけて格納する。なお、音声メモリ３４０は、音声データを一意に識別できるファイル名に対応づけて格納してもよい。音声メモリ３４０は、音声データを音声再生部３５０、及び音声出力部３７０に供給する。また、音声メモリ３４０は、音声データに対応付けられた識別子、音声データのファイル名等のデータを表示部３６０に供給する。
【００２３】
音声再生部３５０は、音声メモリ３４０に格納されている音声を再生する。そして、表示部３６０は、音声メモリ３４０から受け取った音声のファイル名等を表示する。ユーザは、表示部３６０に表示された音声データに対応付けられたファイル名を選択することにより、所望の音声データを再生することができる。音声出力部３７０は、音声メモリ３４０から受け取った音声データを、外部の音声再生装置等に出力する。
【００２４】
画像再生ユニット２０が有する画像メモリ２２０は、音声再生ユニット３０が有する信号処理部３２０から受け取った画像データを格納する。画像メモリ２２０は、磁気記憶媒体等を用いたハードディスクであってよい。入力インターフェイス２３０は、画像データを外部から受け取って、画像メモリ２２０に供給する。入力インターフェイス２３０は、例えば、インターネット等のネットワーク、及びメモリ等を介して、静止画、及び動画等の画像データを受け取ってよい。画像メモリ２２０は、入力インターフェイス２３０、及び信号処理部３２０から受け取った画像データを、画像データを一意に識別できる識別子に対応づけて格納する。画像メモリ２２０は、画像データを画像出力部２１０、及び画像再生部２００に供給する。
【００２５】
画像再生部２００は、画像メモリ２２０から受け取った画像を再生する。画像再生部２００は、例えば、液晶表示装置等であってよい。また、音声再生ユニット３０と画像再生ユニット２０とが機械的に接続されている場合には、画像再生部２００は電子ファインダとして機能する。そして、画像再生部２００は、撮像部３１０において撮像された画像を表示する。画像出力部２１０は、画像メモリ２２０から受け取った画像データを、インターネット等のネットワーク、及びメモリ等を介して外部の表示装置等に供給する。これによりユーザは、画像データをＴＶモニタ等で観賞できる。
【００２６】
本実施形態に係る撮像装置１０によれば、音声再生ユニット３０において音声を再生できると共に、音声再生ユニット３０を用いて画像を撮像できる。そして、音声再生ユニット３０において撮像された画像は、画像再生ユニット２０において観賞できる。これにより、ユーザは、撮像装置１０において画像の撮像、画像の観賞、及び音楽鑑賞を多様に楽しむことができる。
【００２７】
また、本実施形態に係る撮像装置１０によれば、音声再生ユニット３０は独立して音声再生装置として機能させることができ、画像再生ユニット２０は独立して画像再生装置として機能させることができる。これにより、ユーザの多様な趣味に合わせて撮像装置１０を使い分けることができる。そして、音声再生装置において画像を撮像できるので、ユーザは音声再生ユニット３０を、小型軽量の撮像装置として用いることができる。
【００２８】
更に、本実施形態に係る撮像装置１０によれば、音声再生ユニット３０と画像再生ユニット２０とが機械的に接続されている場合には、画像再生ユニット２０の画像メモリ２２０に撮像画像の画像データを格納できるので、撮像装置１０を大容量の撮像装置として使用できる。これにより、ユーザは、音声再生ユニット３０において撮像された画像を観賞できると共に、多くの画像を撮像できる。そして、ユーザは、画像再生ユニット２０において、高解像度の撮像画像を、大きな表示画面で観賞することができる。
【００２９】
そして、本実施形態に係る撮像装置１０によれば、音声再生ユニット３０と画像再生ユニット２０とが機械的に接続されている場合には、画像再生ユニット２０の表示部６００を電子ファインダとして用いることができる。これにより、ユーザは所望の構図で画像を撮像することが容易にできる。
【００３０】
図３は、本発明の一実施形態に係るデータ処理装置４０の概要を示す。データ処理装置４０は、充電器７０、第１データ処理ユニット５０、及び第２データ処理ユニット６０を備える。第１データ処理ユニット５０は、第１電力供給端子５８０を有する。また、第２データ処理ユニット６０は、第２電力供給端子６５０を有する。そして、充電器７０は、プライマリ端子７００、セカンダリ端子７１０、及び切り替えスイッチ７５０を有する。充電器７０は、外部電力供給手段９０に接続されている。また、第１データ処理ユニット５０と第２データ処理ユニット６０とは、機械的に着脱自在に構成されている。第１データ処理ユニット５０と第２データ処理ユニット６０とを機械的に接続することにより、データ処理装置４０として機能する。なお、第１データ処理ユニット５０と第２データ処理ユニット６０とは、電子機器の一例である。本実施形態に係るデータ処理装置４０は、複数の電子機器を充電する場合に、ユーザが所望する優先順位に従って各電子機器を充電させることを目的とする。
【００３１】
ユーザは、第１データ処理ユニット５０において画像を撮像する。第１データ処理ユニット５０は、撮像された画像を第１データ処理ユニット５０が備えるメモリに保存する。そして、第１データ処理ユニット５０に第２データ処理ユニット６０が接続された場合に、撮像された画像は第１データ処理ユニット５０から、第２データ処理ユニット６０に供給されて、第２データ処理ユニット６０が備えるメモリに保存される。第２データ処理ユニット６０は、ユーザが撮像した画像を表示できる表示部６００を有する。一方、第１データ処理ユニット５０は、撮像された画像を圧縮して、圧縮された圧縮画像を保持してよい。ユーザは、第１データ処理ユニット５０において撮像された画像を、撮像後、第２データ処理ユニット６０において確認できる。そして、ユーザが第２データ処理ユニット６０を携帯して撮像された画像を長時間観賞することを目的として、第２データ処理ユニット６０は、バッテリで駆動する装置であってよい。
【００３２】
そして、第１データ処理ユニット５０、及び第２データ処理ユニット６０がそれぞれ有するバッテリを充電する場合には、機械的に接続されている状態の第１データ処理ユニット５０、及び第２データ処理ユニット６０を充電器７０に保持することにより、ユーザは、第１データ処理ユニット５０、及び第２データ処理ユニット６０の双方を充電できる。データ処理装置４０においては、第１データ処理ユニット５０の下面に第１電力供給端子５８０が備えられ、第２データ処理ユニット６０の下面に第２電力供給端子６５０が備えられている。なお、下面とは、第１データ処理ユニット５０、及び第２データ処理ユニット６０の充電時に、充電器７０に接する面であってよい。そして、第１データ処理ユニット５０と第２データ処理ユニット６０とが機械的に接続したデータ処理装置４０の下面において、第１電力供給端子５８０と第２電力供給端子６５０とは、左右対称な位置に備えられている。そして、ユーザは、充電器７０のプライマリ端子７００、及びセカンダリ端子７１０が備えられている面に垂直な方向を軸として、当該軸に沿って、データ処理装置４０を１８０°回転させることにより、第１データ処理ユニット５０の第１電力供給端子５８０、又は、第２データ処理ユニット６０の第２電力供給端子６５０をプライマリ端子７００に接続させることができる。
【００３３】
これにより、ユーザは、第１データ処理ユニット５０、及び第２データ処理ユニット６０のそれぞれに専用の充電器を用意することなしに、第１データ処理ユニット５０、及び第２データ処理ユニット６０の双方を充電することができる。
【００３４】
例えば、ユーザがより早く充電させたい機器がある場合には、ユーザは、充電器７０のプライマリ端子７００側に当該機器の接続端子が接続されるように、データ処理装置４０を充電器７０に保持する。これにより、プライマリ端子７００に接続された機器が優先的に充電される。例えば、ユーザが第１データ処理ユニット５０を第２データ処理ユニット６０よりも早く充電したい場合には、第１データ処理ユニット５０がプライマリ端子７００と接続されるように第１データ処理ユニット５０を充電器７０に保持させる。一方、ユーザが第２データ処理ユニット６０を第１データ処理ユニット５０よりも早く充電したい場合には、第２データ処理ユニット６０がプライマリ端子７００と接続させるように第２データ処理ユニット６０を充電器に保持させる。これにより、ユーザは、一つの充電器７０だけで、自由に電子機器の充電の優先順位を決定できる。
【００３５】
また、充電器７０は、優先的に充電させる機器を選択する、切り替えスイッチ７５０を更に備えてもよい。ユーザがより早く充電させたい機器がある場合には、ユーザは、充電器７０が有する切り替えスイッチ７５０により優先的に充電させる機器を選択できる。例えば、ユーザが第２データ処理ユニット６０を、第１データ処理ユニット５０に優先させて充電させることを要求する場合には、第２データ処理ユニット６０がプライマリ端子７００と接続されるように、切り替えスイッチ７５０を切り替える。これにより、ユーザは、第２データ処理ユニット６０を優先的に充電させることができる。
【００３６】
なお、充電器７０による充電は、プライマリ端子７００に接続された電子機器のバッテリが満充電されてから、他方の電子機器を充電してよい。また、プライマリ端子７００に接続された電子機器のバッテリ、及びセカンダリ端子７１０に接続された電子機器のバッテリの双方を、所定の容量ずつ交互に充電してもよい。更には、プライマリ端子７００に接続された電子機器のバッテリ、及びセカンダリ端子７１０に接続された電子機器のバッテリを並行して充電させてもよい。なお、音声再生ユニット３０は、第１データ処理ユニット５０の一例である。そして、第１データ処理ユニット５０は、音声再生ユニット３０の構成、及び機能の一部、又は全部を更に備えてよい。また、画像再生ユニット２０は、第２データ処理ユニット６０の一例である。そして、第２データ処理ユニット６０は、図１、及び図２の上記で説明した画像再生ユニット２０の構成、及び機能の一部、又は全部を更に備えてよい。
【００３７】
本実施形態に係るデータ処理装置４０は、複数の電子機器を充電する場合に、優先順位に従って各電子機器を充電させることができる。
【００３８】
図４は、本実施形態に係るデータ処理装置４４の概要を示す。データ処理装置４４は、充電器７２、第１データ処理ユニット５０、及び第２データ処理ユニット６０を備える。そして、充電器７２は、端子７１８を有する。充電器７２は、外部電力供給手段９０に接続されている。なお、第１データ処理ユニット５０と第２データ処理ユニット６０とは、機械的に着脱自在に構成されていてよい。
【００３９】
ユーザは、第１データ処理ユニット５０と第２データ処理ユニット６０のうち、先に充電を要する機器の電力供給端子が充電器７２の端子７１８と接続するように、第１データ処理ユニット５０、及び第２データ処理ユニット６０が機械的に接続された状態のまま、外部電力供給手段９０と接続されている充電器７２に保持する。
【００４０】
ここで、第１データ処理ユニット５０と第２データ処理ユニット６０とが機械的に接続されたデータ処理装置４４を考える。データ処理装置４４において、第１データ処理ユニット５０が有する第１電力供給端子５８０と第２データ処理ユニット６０が有する第２電力供給端子６５０は、第１データ処理ユニット５０と第２データ処理ユニット６０との接続面と反対の面にそれぞれ備えられている。そして、データ処理装置４４において、同一形状の上面と下面のそれぞれの同一の位置に、第１電力供給端子５８０と第２電力供給端子６５０がそれぞれ備えられている。そして、第１電力供給端子５８０、又は、第２電力供給端子６５０が、充電器７２が有する端子７１８と接続されるように、第１データ処理ユニット５０、又は、第２データ処理ユニット６０のいずれか一方のユニットを下にして、充電器７２にデータ処理装置４４を保持する。これにより、第１データ処理ユニット５０、又は、第２データ処理ユニット６０のいずれかが優先的に充電される。そして、ユーザは、データ処理装置４４を、例えば、上下反転させて充電器７２に保持することによって、第１データ処理ユニット５０、又は、第２データ処理ユニット６０のいずれかを優先的に充電させることができる。したがって、ユーザは、視覚的に第１データ処理ユニット５０、又は、第２データ処理ユニット６０のいずれのユニットが優先的に充電されるのか把握し易いというメリットがある。
【００４１】
例えば、データ処理装置４４が充電器７２に保持されると、まず、端子７１８と直接に接続されている機器、第２データ処理ユニット６０が、第１データ処理ユニット５０に優先して充電される。そして、第２データ処理ユニット６０のバッテリが満充電になった後には、第１データ処理ユニット５０は、第２データ処理ユニット６０を介して、充電器７２により充電される。一方、ユーザが第１データ処理ユニット５０を第２データ処理ユニット６０よりも先に充電したい場合には、第１データ処理ユニット５０の第１電力供給端子５８０が充電器７２の端子７１８と接続されるように、データ処理装置４４を充電器７２に保持する。これにより、上記説明とは反対に、まず、第１データ処理ユニット５０が優先的に充電された後に、第２データ処理ユニット６０が第１データ処理ユニット５０を介して充電される。なお、音声再生ユニット３０は、第１データ処理ユニット５０の一例である。そして、第１データ処理ユニット５０は、図１、及び図２の上記で説明した音声再生ユニット３０の構成、及び機能の一部、又は全部を更に備えてよい。また、画像再生ユニット２０は、第２データ処理ユニット６０の一例である。そして、第２データ処理ユニット６０は、図１、及び図２の上記で説明した画像再生ユニット２０の構成、及び機能の一部、又は全部を更に備えてよい。
【００４２】
本実施形態に係るデータ処理装置４４によれば、２つの電子機器が機械的に接続された状態のまま、１つの充電器に保持することより、２つの電子機器を優先順位に従って充電することができる。これにより、ユーザが早期に使用を欲する電子機器を優先的に充電できる。
【００４３】
図５は、本実施形態に係るデータ処理装置４０の機能構成の一例を示す。データ処理装置４０は、第１データ処理ユニット５０、第２データ処理ユニット６０、及び充電器７０を備える。第１データ処理ユニット５０は、撮像部５００、第１データ制御部５１０、第１メモリ５２０、データ転送制御部５３０、表示制御部５４０、表示部５５０、第１バッテリ部５６０、第１充電制御部５７０、及び第１電力供給端子５８０を有する。また、第２データ処理ユニット６０は、表示部６００、第２データ制御部６１０、第２メモリ６２０、第２バッテリ部６３０、第２充電制御部６４０、及び第２電力供給端子６５０を有する。なお、データ転送制御部５３０は、第１データ処理ユニット５０、及び第２データ処理ユニット６０のいずれに設けられていてもよい。すなわち、第２データ処理ユニット６０がデータ転送制御部５３０を有していてもよい。更に、充電器７０は、プライマリ端子７００、及びセカンダリ端子７１０を有する。また、充電制御部は、第１データ処理ユニット５０、第２データ処理ユニット６０、及び充電器７０のいずれに設けられていてもよい。
【００４４】
第１データ処理ユニット５０が有する撮像部５００は、撮像した画像の画像データを第１データ制御部５１０へ供給する。第１データ制御部５１０は、第１メモリ５２０に対して、データの書き込み、又は読み出しをする。第１データ制御部５１０は、撮像部５００から受け取った、撮像部５００において撮像された画像データを第１メモリ５２０に書き込んでよい。なお、第１データ制御部５１０は、第１メモリ５２０に対してデータの読み出しをしてもよい。第１データ制御部５１０は、撮像部５００において撮像された画像データを、第１メモリ５２０に供給する。
【００４５】
第１メモリ５２０は、第１データ制御部５１０から受け取った画像データ等のデータを格納する。例えば、第１メモリ５２０は、第１データ制御部５１０から受け取った画像データを格納する。第１メモリ５２０は、画像データを一意に識別できる識別子に対応づけて格納してよい。なお、第１メモリ５２０は、撮像部５００において撮像された撮像画像を保存する記憶装置であり、例えば、半導体記録媒体等を用いたメモリ、及び磁気記録媒体等を用いたハードディスクドライブであってよい。更に、第１メモリ５２０は、第１データ処理ユニット５０から着脱を自在にできる記憶装置として構成してもよい。第１メモリ５２０は、画像データを表示制御部５４０、及びデータ転送制御部５３０に供給する。また、第１メモリ５２０は、第１メモリ５２０の容量に関するデータ、例えば、第１メモリ５２０の空き容量、及び第１メモリ５２０の全容量に対する空き容量の割合に関するデータを、第１充電制御部５７０に供給する。
【００４６】
なお、第１データ処理ユニット５０、及び第２データ処理ユニット６０は、第１メモリ空き容量検出部、及び第２メモリ空き容量検出部を有していてもよい。第１メモリ空き容量検出部、及び第２メモリ空き容量検出部は、第１メモリ５２０、及び第２メモリ６２０の空き容量、及び全容量に対する空き容量の割合を検出する。そして、第１メモリ空き容量検出部において検出された、第１メモリ５２０の空き容量、及び全容量に対する空き容量の割合に関する情報は、第１メモリ空き容量検出部から第１充電制御部５７０に供給されてよい。また、第２メモリ空き容量検出部において検出された、第２メモリ６２０の空き容量、及び全容量に対する空き容量の割合に関する情報は、第２メモリ空き容量検出部から第２充電制御部６４０に供給されてもよい。
【００４７】
データ転送制御部５３０は、第１データ処理ユニット５０と第２データ処理ユニット６０とが機械的に接続されている場合に、第１メモリ５２０と第２データ処理ユニット６０が有する第２メモリ６２０との間でデータ転送をする。ここで、第１データ処理ユニット５０は、第２データ処理ユニット６０と機械的に接続されていない場合には、独立した撮像装置として機能してよい。例えば、第１データ処理ユニット５０は、デジタルカメラであってよい。また、第２データ処理ユニット６０は、第１データ処理ユニット５０と機械的に接続されていない場合には、独立した表示装置として機能してよい。例えば、第２データ処理ユニット６０は、携帯ビューワであってよい。そして、データ転送制御部５３０は、第１データ処理ユニット５０と第２データ処理ユニット６０とが機械的に接続されている場合に、撮像部５００において撮像されて第１メモリ５２０に格納された画像データを、第２メモリ６２０に転送してよい。また、表示制御部５４０は、第１メモリ５２０から受け取った画像を表示部５５０へ供給する。表示部５５０は、表示制御部５４０から受け取った画像を表示する。表示部５５０は、撮像部５００において撮像された画像を表示する表示装置であって、例えば、液晶表示装置等であってよい。
【００４８】
第２データ処理ユニット６０が有する第２メモリ６２０は、データ転送制御部５３０から受け取った画像データ等のデータを格納する。また、第２メモリ６２０は、インターネット等のネットワーク、及びメモリ等を介して画像データ等のデータを格納してもよい。第２メモリ６２０は、画像データ等のデータを、当該データを一意に識別できる識別子に対応づけて格納する。第２メモリ６２０は、画像データ等のデータを第２データ制御部６１０に供給する。また、第２メモリ６２０は、第２メモリ６２０の容量に関するデータ、例えば、第２メモリ６２０の空き容量、及び第２メモリ６２０の全容量に対する空き容量の割合に関するデータを、第２充電制御部６４０に供給する。
【００４９】
第２データ制御部６１０は、第２メモリ６２０に対してデータの書き込み、又は読み出しをする。第２データ制御部６１０は、第２メモリ６２０から画像データを読み出して、表示部６００に供給してよい。表示部６００は、第２データ制御部６１０から受け取った、第２メモリ６２０から読み出された画像データを表示する。表示部６００は、液晶表示装置等の画像表示装置であってよい。
【００５０】
第１バッテリ部５６０は、撮像部５００、第１データ制御部５１０、第１メモリ５２０、データ転送制御部５３０、表示制御部５４０、及び表示部５５０に電力を供給する。また、第１バッテリ部５６０は、所定の場合に、第２データ処理ユニット６０が有する第２バッテリ部６３０を充電することを目的として、第２バッテリ部６３０に電力を供給してもよい。また、第２バッテリ部６３０は、表示部６００、第２データ制御部６１０、及び第２メモリ６２０に電力を供給する。そして、第２バッテリ部６３０は、所定の場合に、第１データ処理ユニット５０が有する第１バッテリ部５６０を充電することを目的として、第１バッテリ部５６０に電力を供給してもよい。
【００５１】
ここで、第１充電制御部５７０、及び第２データ処理ユニット６０が有する第２充電制御部６４０は、第１データ処理ユニット５０と第２データ処理ユニット６０とが機械的に接続されている状態で、データ処理装置４０が外部電力供給手段９０に接続された場合に、第１バッテリ部５６０、及び第２バッテリ部６３０を充電する。そして、外部電力供給手段９０と電気的に接続されているプライマリ端子７００、及びセカンダリ端子７１０を有する充電器７０に、第１データ処理ユニット５０と第２データ処理ユニット６０とが機械的に接続されている状態で保持されている場合を考える。係る場合において、第１データ処理ユニット５０が有する第１電力供給端子５８０が、プライマリ端子７００に接続され、第２データ処理ユニット６０が有する第２電力供給端子６５０がセカンダリ端子７１０に接続された場合には、第１充電制御部５７０、及び第２充電制御部６４０は、第１バッテリ部５６０を第２バッテリ部６３０より優先的に充電する。
【００５２】
一方、第１データ処理ユニットが有する第１電力供給端子５８０が、セカンダリ端子７１０に接続され、第２データ処理ユニット６０が有する第２電力供給端子６５０がプライマリ端子７００に接続された場合には、第１充電制御部５７０、及び第２充電制御部６４０は、第２バッテリ部６３０を第１バッテリ部５６０より優先的に充電する。係る場合において、第１充電制御部５７０、及び第２充電制御部６４０は、第１電力供給端子５８０、及び第２電力供給端子６５０が接続されている端子が、プライマリ端子７００とセカンダリ端子７１０のいずれであるかを示す情報を相互に供給しあってよい。これによりユーザは、第１データ処理ユニット５０、又は、第２データ処理ユニット６０のうち、すぐに使用を欲するユニットを優先的に充電させることができる。
【００５３】
そして、外部電力供給手段９０からデータ処理装置４０に電力が供給されている場合には、第１充電制御部５７０は第１バッテリ部５６０をまず充電してよい。続いて、第１バッテリ部５６０が満充電になった後に、第２充電制御部６４０は、第２バッテリ部６３０を充電してよい。一方、外部電力供給手段９０からデータ処理装置４０に電力が供給されていない場合には、第１充電制御部５７０は、第１バッテリ部５６０のバッテリ残量を計測して、第１バッテリ部５６０の充電容量が所定値以上である場合に、第１バッテリ部５６０から第２バッテリ部６３０に電力を供給して、第２バッテリ部６３０を充電してもよい。なお、外部電力供給手段９０からデータ処理装置４０に電力が供給されている場合にまず充電するのは、第２バッテリ部６３０であってもよく、係る場合には、第２充電制御部６４０は、まず第２バッテリ部６３０を満充電させ、そして、第２バッテリ部６３０が満充電になった後に、第１充電制御部５７０は第１バッテリ部５６０を充電してもよい。
【００５４】
また、第１充電制御部５７０、又は、第２充電制御部６４０が第１バッテリ部５６０、又は、第２バッテリ部６３０を充電する場合において、第１充電制御部５７０、又は、第２充電制御部６４０は、第１バッテリ部５６０、又は、第２バッテリ部６３０のどちらか一方を満充電させてから、他方を充電してもよい。また、第１充電制御部５７０、又は、第２充電制御部６４０は、第１バッテリ部５６０と第２バッテリ部６３０の双方を、予め定められた容量ずつ交互に充電してもよい。更には、第１充電制御部５７０、及び第２充電制御部６４０は、第１バッテリ部５６０と第２バッテリ部６３０を並行して充電させてもよい。
【００５５】
更に、第１充電制御部５７０は、第２充電制御部６４０に第１メモリ５２０から受け取った第１メモリ５２０の空き容量、及び第１メモリ５２０の全容量に対する空き容量の割合に関するデータを供給する。一方、第２充電制御部６４０は、第２メモリ６２０の空き容量、及び第２メモリ６２０の全容量に対する空き容量の割合に関するデータを第１充電制御部５７０に供給してよい。そして、第１充電制御部５７０、及び第２充電制御部６４０は、第１メモリ５２０、及び第２メモリ６２０の空き容量に応じて、第１バッテリ部５６０、及び第２バッテリ部６３０のいずれかを優先的に充電してよい。例えば、第２充電制御部６４０は、第１メモリ５２０の空き容量が第２メモリ６２０の空き容量より大きい場合に、第２バッテリ部６３０を優先的に充電する。また、第２充電制御部６４０は、第１メモリ５２０の全容量に対する空き容量の割合が、第２メモリ６２０の全容量に対する空き容量の割合よりも大きい場合に、第２バッテリ部６３０を優先的に充電してもよい。
【００５６】
また、第１データ処理ユニット５０の表示部５５０、及び第２データ処理ユニット６０の表示部６００に、第１データ処理ユニット５０、又は、第２データ処理ユニット６０のいずれを優先的に充電させるかを選択する選択画面を表示してもよい。ユーザにより、当該選択画面から、優先的に充電させるユニットとして、第１データ処理ユニット５０、又は、第２データ処理ユニット６０のいずれかが選択された場合には、ユーザによって選択された第１データ処理ユニット５０、又は、第２データ処理ユニット６０に関する情報が、第１充電制御部５７０、及び第２充電制御部６４０に供給される。そして、第１充電制御部５７０、及び第２充電制御部６４０は、選択画面においてユーザに選択された第１データ処理ユニット５０、又は、第２データ処理ユニット６０に関する情報に基づいて、第１データ処理ユニット５０が有する第１バッテリ部５６０、又は、第２データ処理ユニット６０が有する第２バッテリ部６３０を優先的に充電してもよい。なお、音声再生ユニット３０は、第１データ処理ユニット５０の一例である。そして、第１データ処理ユニット５０は、図１、及び図２の上記で説明した音声再生ユニット３０の構成、及び機能の一部、又は全部を更に備えてよい。また、画像再生ユニット２０は、第２データ処理ユニット６０の一例である。そして、第２データ処理ユニット６０は、図１、及び図２の上記で説明した画像再生ユニット２０の構成、及び機能の一部、又は全部を更に備えてよい。
【００５７】
本実施形態に係るデータ処理装置４０によれば、２つの異なる装置間でデータの移動ができると共に、２つの電子装置のバッテリに優先順位をつけて充電することができる。これにより、ユーザがすぐに使用したいと欲する電子装置、又は、ユーザの使用頻度の高い電子装置を優先的に充電させることができる。
【００５８】
また、本実施形態に係るデータ処理装置４０によれば、第１バッテリ部５６０と第２バッテリ部６３０との間で、一方のバッテリ部が他方のバッテリ部に電力を供給することにより、他方のバッテリ部を充電することができる。これにより、一方のデータ処理ユニットのバッテリ部における充電容量が所定値以上の場合には、外部から電力の供給がなくても他方のバッテリ部を充電できるので、第１データ処理ユニット５０、及び第２データ処理ユニット６０のいずれもがバッテリ切れにより動作しなくなることを防ぐことができる。
【００５９】
図６は、本実施形態に係るデータ処理装置４２の機能構成の一例を示す。データ処理装置４２は、第１データ処理ユニット５２、第２データ処理ユニット６２、及び充電器７０を備える。第１データ処理ユニット５２は、撮像部５００、第１データ制御部５１０、第１メモリ５２０、データ転送制御部５３０、表示制御部５４０、表示部５５０、第１バッテリ部５６０、及び第１電力供給端子５８０を有する。また、第２データ処理ユニット６２は、表示部６００、第２データ制御部６１０、第２メモリ６２０、第２バッテリ部６３０、及び第２電力供給端子６５０を有する。なお、データ転送制御部５３０は、第１データ処理ユニット５２、及び第２データ処理ユニット６２のいずれに設けられていてもよい。すなわち、第２データ処理ユニット６２がデータ転送制御部５３０を有していてもよい。更に、充電器７０は、充電制御部７２０、プライマリ端子７００、及びセカンダリ端子７１０を有する。
【００６０】
なお、第１データ処理ユニット５２、第２データ処理ユニット６２、充電器７０、撮像部５００、第１データ制御部５１０、第１メモリ５２０、データ転送制御部５３０、表示制御部５４０、表示部５５０、第１バッテリ部５６０、第１電力供給端子５８０、表示部６００、第２データ制御部６１０、第２メモリ６２０、第２バッテリ部６３０、第２電力供給端子６５０、充電制御部７２０、プライマリ端子７００、及びセカンダリ端子７１０については、図３での上記説明において、同一の部材名で説明した各構成部分と略同一の機能を有するので、詳細な説明については省略する。
【００６１】
充電器７０が有する充電制御部７２０は、第１データ処理ユニット５２と第２データ処理ユニット６２とが機械的に接続された状態で、外部電力供給手段９０に電気的に接続された充電器７０に保持された場合に、第１バッテリ部５６０、及び第２バッテリ部６３０を充電する。充電制御部７２０は、第１バッテリ部５６０、又は、第２バッテリ部６３０のどちらか一方を満充電させた後に他方の充電をしてよい。また、充電制御部７２０は、第１バッテリ部５６０と第２バッテリ部６３０の双方を、予め定められたバッテリ容量ごとに交互に充電してもよい。更に、充電制御部７２０は、第１バッテリ部５６０と第２バッテリ部６３０の双方を並行して充電してもよい。また、充電制御部７２０は、充電器７０が有するプライマリ端子７００と接続されたユニットを優先的に充電してもよい。例えば、プライマリ端子７００と、第１電力供給端子５８０とが接触した場合には、充電制御部７２０は、第１バッテリ部５６０を優先的に充電してよい。一方、セカンダリ端子７１０と、第１電力供給端子５８０とが接触した場合には、充電制御部７２０は、第２バッテリ部６３０を優先的に充電してよい。なお、音声再生ユニット３０は、第１データ処理ユニット５０の一例である。そして、第１データ処理ユニット５０は、図１、及び図２の上記で説明した音声再生ユニット３０の構成、及び機能の一部、又は全部を更に備えてよい。また、画像再生ユニット２０は、第２データ処理ユニット６０の一例である。そして、第２データ処理ユニット６０は、図１、及び図２の上記で説明した画像再生ユニット２０の構成、及び機能の一部、又は全部を更に備えてよい。
【００６２】
図７は、本実施形態に係るデータ処理装置４４の機能構成の一例を示す。データ処理装置４４は、第１データ処理ユニット５０、及び第２データ処理ユニット６０を備える。第１データ処理ユニット５０は、撮像部５００、第１データ制御部５１０、第１メモリ５２０、データ転送制御部５３０、表示制御部５４０、表示部５５０、第１バッテリ部５６０、第１充電制御部５７０、及び第１電力供給端子５８０を有する。また、第２データ処理ユニット６０は、表示部６００、第２データ制御部６１０、第２メモリ６２０、第２バッテリ部６３０、第２充電制御部６４０、及び第２電力供給端子６５０を有する。なお、データ転送制御部５３０は、第１データ処理ユニット５０、及び第２データ処理ユニット６０のいずれに設けられていてもよい。すなわち、第２データ処理ユニット６０がデータ転送制御部５３０を有していてもよい。
【００６３】
なお、第１データ処理ユニット５０、第２データ処理ユニット６０、撮像部５００、第１データ制御部５１０、第１メモリ５２０、データ転送制御部５３０、表示制御部５４０、表示部５５０、第１バッテリ部５６０、第１充電制御部５７０、第１電力供給端子５８０、表示部６００、第２データ制御部６１０、第２メモリ６２０、第２バッテリ部６３０、第２充電制御部６４０、第２電力供給端子６５０については、図３、及び図４での上記説明において、同一の部材名で説明した各構成部分と略同一の機能を有するので、詳細な説明については省略する。
【００６４】
第１充電制御部５７０は、第１電力供給端子５８０に外部の電力供給手段が接続された場合に、第１バッテリ部５６０を第２バッテリ部６３０より優先的に充電する。また、第１充電制御部５７０は、第１バッテリ部５６０が満充電になった後には、第２充電制御部６４０を介して、第２バッテリ部６３０を充電してもよい。更には、第１充電制御部５７０は、第１バッテリ部５６０が満充電になった後には、第１バッテリ部５６０の電力を第２バッテリ部６３０に供給して、第２バッテリ部６３０を充電してもよい。一方、第２充電制御部６４０は、第２電力供給端子６５０に外部の電力供給手段が接続された場合に、第２バッテリ部６３０を第１バッテリ部５６０より優先的に充電する。また、第２充電制御部６４０は、第２バッテリ部６３０が満充電になった後には、第１充電制御部５７０を介して、第１バッテリ部５６０を充電してもよい。更には、第２充電制御部６４０は、第２バッテリ部６３０が満充電になった後には、第２バッテリ部６３０の電力を第１バッテリ部５６０に供給して、第１バッテリ部５６０を充電してもよい。なお、音声再生ユニット３０は、第１データ処理ユニット５０の一例である。そして、第１データ処理ユニット５０は、図１、及び図２の上記で説明した音声再生ユニット３０の構成、及び機能の一部、又は全部を更に備えてよい。また、画像再生ユニット２０は、第２データ処理ユニット６０の一例である。そして、第２データ処理ユニット６０は、図１、及び図２の上記で説明した画像再生ユニット２０の構成、及び機能の一部、又は全部を更に備えてよい。
【００６５】
本実施形態に係るデータ処理装置４４によれば、外部の電力供給手段と接続させるデータ処理ユニットを選択することにより、当該データ処理ユニットを優先的に充電させることができる。これにより、ユーザがすぐに使用したいと欲する電子装置を優先的に充電させることができる。
【００６６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６７】
【図１】撮像装置１０の概念図である。
【図２】撮像装置１０の機能構成を示すブロック図である。
【図３】データ処理装置４０の概念図である。
【図４】データ処理装置４４の概念図である。
【図５】データ処理装置４０の機能構成を示すブロック図である。
【図６】データ処理装置４２の機能構成を示すブロック図である。
【図７】データ処理装置４４の機能構成を示すブロック図である。
【符号の説明】
【００６８】
１０  撮像装置
２０  画像再生ユニット
３０  音声再生ユニット
４０、４２、４４  データ処理装置
５０、５２  第１データ処理ユニット
６０、６２  第２データ処理ユニット
７０、７２  充電器
９０  外部電力供給手段
２００  画像再生部
２１０  画像出力部
２２０  画像メモリ
２３０  入力インターフェイス
２４０  レリーズボタン
３００  光学ファインダ
３１０  撮像部
３２０  信号処理部
３３０  入力インターフェイス
３４０  音声メモリ
３５０  音声再生部
３６０  表示部
３７０  音声出力部
３８０  レリーズボタン
５００  撮像部
５１０  第１データ制御部
５２０  第１メモリ
５３０  データ転送制御部
５４０  表示制御部
５５０  表示部
５６０  第１バッテリ部
５７０  第１充電制御部
５８０  第１電力供給端子
６００  表示部
６１０  第２データ制御部
６２０  第２メモリ
６３０  第２バッテリ部
６４０  第２充電制御部
６５０  第２電力供給端子
７００  プライマリ端子
７１０  セカンダリ端子
７１８  端子
７２０  充電制御部
７５０  切り替えスイッチ
８００  猫
９００、９１０  ユーザ
【図１】
0004619898.tif 000002
【図２】
0004619898.tif 000003
【図３】
0004619898.tif 000004
【図４】
0004619898.tif 000005
【図５】
0004619898.tif 000006
【図６】
0004619898.tif 000007
【図７】
0004619898.tif 000008